(57)【要約】  【課題】  波状のアンテナパターンを容易に形成することのできる無線ＩＣタグを提供する。  【解決手段】  無線ＩＣタグ１は、平板状のベース部材２と、ベース部材２上に載置されるＩＣチップ３と、ＩＣチップ３に電気的に接続される金属線アンテナ４とを備える。この無線ＩＣタグ１を製造する場合には、ベース部材２の表面（おもて面）側と裏面側を交互に通過するように、ベース部材２に金属線アンテナ４を巻き付けて、表面側または裏面側からみたときの平面視で波状のアンテナパターン８をベース部材２に形成する。【選択図】  図１
2012141889.tif 000002
【特許請求の範囲】
【請求項１】
平板状のベース部材と、
前記ベース部材上に載置されるＩＣチップと、
前記ＩＣチップに電気的に接続される金属線アンテナと、
を備える無線ＩＣタグであって、
前記ベース部材の表面側と裏面側を交互に通過するように前記ベース部材に巻き付けられた前記金属線アンテナによって、前記表面側または前記裏面側からみたときの平面視で波状のアンテナパターンが、前記ベース部材に形成されていることを特徴とする無線ＩＣタグ。
【請求項２】
前記波状のアンテナパターンは、前記ベース部材の表面側に形成される第１の直線パターンと、前記ベース部材の裏面側に形成される第２の直線パターンとによって形成される三角波状のアンテナパターンである、請求項１に記載の無線ＩＣタグ。
【請求項３】
前記ベース部材は、第１のベース部材と第２のベース部材とで構成されており、
前記波状のアンテナパターンは、前記第１のベース部材の表面側に形成される第１の直線パターンと、前記第２のベース部材の裏面側に形成される第２の直線パターンと、前記第１のベース部材と前記第２のベース部材の間に形成される第３の直線パターンとによって形成される台形波状のアンテナパターンである、請求項１または請求項２に記載の無線ＩＣタグ。
【発明の詳細な説明】
【技術分野】
【０００１】
本発明は、波状のアンテナパターンを備えた無線ＩＣタグに関する。
【背景技術】
【０００２】
近年、商品の在庫情報や各種の料金情報などの情報管理を行うために、無線ＩＣタグが用いられている。無線ＩＣタグは、種々の情報が記憶されるＩＣチップと、無線通信を行うためのアンテナ（アンテナパターン）を備えており、リーダ装置との無線通信により、ＩＣチップからの情報の読出しやＩＣチップへの情報の書込みが行われる（例えば特許文献１参照）。
【０００３】
従来、このような無線ＩＣタグを製造する場合には、例えば、まずエッチング等によってベース材の上にアンテナパターンを形成した後、ＩＣチップの接続用端子（ストラップともいう）がアンテナパターンに重なるようにＩＣチップをベース材の上に置いて、ＩＣチップの接続用端子とアンテナパターンを電気的に接続させている。
【先行技術文献】
【特許文献】
【０００４】
【特許文献１】特開２００３−４４８１７号公報
【発明の概要】
【発明が解決しようとする課題】
【０００５】
しかしながら、従来の無線ＩＣタグにおいては、従来の無線ＩＣタグでは、アンテナパターンのデザインに応じたエッチング用の型を用意する必要がある。したがって、アンテナパターンのデザインを変えると、それに応じてエッチング用の型も変えなければならず、型の製造コストという多大な費用がかかってしまう。つまり、アンテナパターンのデザイン変更に対応することが困難であり、特に、少量多種の無線ＩＣタグの製造には向いていないという問題があった。また、エッチングには加工精度の限界があり、アンテナパターンの幅を非常に小さく（線のように細く）すること（例えば、数１０μｍにする）が困難であるという問題があった。
【０００６】
本発明は、上記の課題に鑑みてなされたもので、金属線アンテナを用いて波状のアンテナパターンを容易に形成することのできる無線ＩＣタグを提供することを目的とする。
【課題を解決するための手段】
【０００７】
本発明の無線ＩＣタグは、平板状のベース部材と、前記ベース部材上に載置されるＩＣチップと、前記ＩＣチップに電気的に接続される金属線アンテナと、を備える無線ＩＣタグであって、前記ベース部材の表面（おもて面）側と裏面側を交互に通過するように前記ベース部材に巻き付けられた前記金属線アンテナによって、前記表面側または前記裏面側からみたときの平面視で波状のアンテナパターンが、前記ベース部材に形成されている。
【０００８】
これにより、ベース部材の表面側と裏面側を交互に通過するように、ベース部材に金属線アンテナを巻き付けることにより、波状のアンテナパターンを容易に形成することができる。
【０００９】
また、本発明の無線ＩＣタグでは、前記波状のアンテナパターンは、前記ベース部材の表面側に形成される第１の直線パターンと、前記ベース部材の裏面側に形成される第２の直線パターンとによって形成される三角波状のアンテナパターンであってよい。
【００１０】
これにより、ベース部材の表面側に形成される第１の直線パターンと、ベース部材の裏面側に形成される第２の直線パターンとによって形成される三角波状のアンテナパターンを容易に形成することができる。
【００１１】
また、本発明の無線ＩＣタグでは、前記ベース部材は、第１のベース部材と第２のベース部材とで構成されており、前記波状のアンテナパターンは、前記第１のベース部材の表面側に形成される第１の直線パターンと、前記第２のベース部材の裏面側に形成される第２の直線パターンと、前記第１のベース部材と前記第２のベース部材の間に形成される第３の直線パターンとによって形成される台形波状のアンテナパターンであってもよい。
【００１２】
これにより、第１のベース部材の表面側に形成される第１の直線パターンと、第２のベース部材の裏面側に形成される第２の直線パターンと、第１のベース部材と第２のベース部材の間に形成される第３の直線パターンとによって形成される台形波状のアンテナパターンを容易に形成することができる。
【発明の効果】
【００１３】
本発明によれば、金属線アンテナを用いて波状のアンテナパターンを容易に形成することができる。
【図面の簡単な説明】
【００１４】
【図１】本発明の第１の実施の形態における無線ＩＣタグの説明図
【図２】本発明の第２の実施の形態における無線ＩＣタグの説明図
【図３】本発明の第２の実施の形態における無線ＩＣタグの二つのベース部材の説明図
【図４】本発明の第２の実施の形態における無線ＩＣタグの製造方法の説明図
【発明を実施するための形態】
【００１５】
以下、本発明の実施の形態の無線ＩＣタグについて、図面を用いて説明する。本実施の形態の無線ＩＣタグは、例えば、本の背表紙に入れられて、図書館での蔵書管理システムに用いられる、あるいは、採血管の底やシャーレの側面などに貼り付けられて、病院や検査機関での検体管理システムに用いられる。
【００１６】
（第１の実施の形態）
本発明の第１の実施の形態の無線ＩＣタグの構成を、図１を参照して説明する。図１に示すように、本実施の形態の無線ＩＣタグ１は、平板状のベース部材２と、ベース部材２上に載置されるＩＣチップ３と、ＩＣチップ３に電気的に接続される金属線アンテナ４を備えている。
【００１７】
ベース部材２は、例えば、プラスチック、紙、布などを材料としており、ベース部材２の外形は、細長い四角形である。ＩＣチップ３は、このベース部材２の中央に載置される。このＩＣチップ３には、正極用と負極用のストラップ５が設けられている。ストラップ５には、金属線アンテナ４が重ねられており、これにより、ＩＣチップ３と金属線アンテナ４が電気的に接続されている。金属線アンテナ４は、例えばニッケルや銅などを材料とするコイルである。
【００１８】
この金属線アンテナ４によって、波状（ジグザグ状）のアンテナパターンが形成される。本実施の形態では、波状のアンテナパターンは、ベース部材２の表面（おもて面）側に形成される第１の直線パターン６と、ベース部材２の裏面側に形成される第２の直線パターン７とによって形成される三角波状のアンテナパターン８である。
【００１９】
以上のように構成された第１の実施の形態の無線ＩＣタグ１について、図面を参照してその製造方法を説明する。本実施の形態の無線ＩＣタグ１を製造するときには、まず、ベース部材２の上にＩＣチップ３を載置する。そして、ＩＣチップ３の上側から粘着テープ（図示せず）を貼り付けて、ＩＣチップ３をベース部材２に固定する。
【００２０】
つぎに、金属線アンテナ４を、ベース部材２の表面側と裏面側を交互に通過するように、ベース部材２に巻き付ける。図１の例では、金属線アンテナ４がベース部材２に８回（８周）巻き付けられている。このようにして、表面側（または裏面側）からみたときの平面視で、三角波状のアンテナパターン８をベース部材２に形成する。
【００２１】
なお、この場合、ベース部材２の中央部では、金属線アンテナ４が正極用と負極用のストラップ５の上をそれぞれ違う周回で通過するようにする。例えば、正極用のストラップ５の上を４周目で通過し、負極用のストラップ５の上を５周目で通過するようにする。
【００２２】
最後に、ベース部材２の表面と裏面の両側に粘着テープ（図示せず）を貼り付けて、金属線アンテナ４をベース部材２に固定する。このようにして、第１の実施の形態の無線ＩＣタグ１が製造される。
【００２３】
このような本発明の第１の実施の形態の無線ＩＣタグ１によれば、金属線アンテナ４を用いて波状のアンテナパターンを容易に形成することができる。
【００２４】
すなわち、本実施の形態では、ベース部材２の表面側と裏面側を交互に通過するように、ベース部材２に金属線アンテナ４を巻き付けることにより、波状のアンテナパターンを容易に形成することができる。
【００２５】
この場合、ベース部材２の表面側に形成される第１の直線パターン６と、ベース部材２の裏面側に形成される第２の直線パターン７とによって形成される三角波状のアンテナパターン８を容易に形成することができる。
【００２６】
（第２の実施の形態）
次に、本発明の第２の実施の形態の無線ＩＣタグ１０について説明する。ここでは、第２の実施の形態の無線ＩＣタグ１０が、第１の実施の形態と相違する点を中心に説明する。ここで特に言及しない限り、本実施の形態の構成および動作は、第１の実施の形態と同様である。
【００２７】
図２〜図４に示すように、第２の実施の形態の無線ＩＣタグ１０は、２枚のベース部材（第１のベース部材１１と第２のベース部材１２）を備えている（図３参照）。第１のベース部材１１は、表面側に配置されており、第２のベース部材１２は、裏面側に配置される。第２のベース部材１２の大きさは、第１のベース部材１１より一回り大きくなるように構成されている。また、第１のベース部材１１と第２のベース部材１２の中央部には、それぞれ幅狭部１３、１４が形成されている。この第１のベースの幅狭部１３と第２のベースの幅狭部１４の幅は、ほぼ等しくなるように構成されている。そして、第１のベース部材１１と第２のベース部材１２には、それぞれ波状のアンテナパターン（後述する台形波状のアンテナパターン２０）に対応する位置（位置Ａ〜Ｇ、Ｍ〜Ｓ）に、それぞれ切り込み１５、１６が設けられている（図３および図４参照）。
【００２８】
そして、本実施の形態では、金属線アンテナ４を用いて形成される波状のアンテナパターンは、第１のベース部材１１の表面側に形成される第１の直線パターン１７と、第２のベース部材１２の裏面側に形成される第２の直線パターン１８と、第１のベース部材１１と第２のベース部材１２の間に形成される第３の直線パターン１９とによって形成される台形波状のアンテナパターン２０である。
【００２９】
以上のように構成された第２の実施の形態の無線ＩＣタグ１０について、図面を参照してその製造方法を説明する。本実施の形態の無線ＩＣタグ１０を製造するときには、まず、第１のベース部材１１と第２のベース部材１２を両面テープ（図示せず）を用いて貼り合わせる。そして、第１のベース部材１１の上にＩＣチップ３を載置する。そして、ＩＣチップ３の上側から粘着テープ（図示せず）を貼り付けて、ＩＣチップ３を第１のベース部材１１に固定する。
【００３０】
つぎに、金属線アンテナ４を、ベース部材の表面側と裏面側を交互に通過するように、ベース部材に巻き付ける。ここで、金属線アンテナ４の巻き付け方を、図４を参照しながら詳しく説明する。
【００３１】
まず、金属線アンテナ４を位置Ａの切り込み１５に引っかけて、第１のベース部材１１の表面側に出した後、金属線アンテナ４を位置Ｂの切り込み１５に引っかけて、第１のベースと第２のベース間に入れる。このようにして、台形波状のアンテナパターン２０の第１の直線パターン１７が形成される。つぎに、金属線アンテナ４を位置Ｃの切り込み１６に引っかけて、第２のベースの裏面側に出す。このようにして、台形波状のアンテナパターン２０の第３の直線パターン１９が形成される。
【００３２】
続いて、金属線を位置Ｄの切り込み１６に引っかけて、第１のベースと第２のベース間に入れる。このようにして、台形波状のアンテナパターン２０の第２の直線パターン１８が形成される。つぎに、金属線アンテナ４を位置Ｅの切り込み１５に引っかけて、第１のベースの表面側に出す。このようにして、台形波状のアンテナパターン２０の第３の直線パターン１９が形成される。
【００３３】
上記の手順（位置Ａ〜Ｄの手順）を、位置Ｅ〜Ｈや位置Ｌ〜Ｓについても、同様に繰り返す。
【００３４】
なお、この場合にも、ベース部材の中央部（位置Ｈ〜位置Ｌ）では、金属線アンテナ４が正極用と負極用のストラップ５の上をそれぞれ違う周回で通過するようにする。例えば、位置Ｈから位置Ｌの周回のときに正極用のストラップ５の上を通過し、位置Ｊから位置Ｋの周回のときに負極用のストラップ５の上を５周目で通過するようにする。
【００３５】
最後に、ベース部材の表面と裏面の両側に粘着テープ（図示せず）を貼り付けて、金属線アンテナ４をベース部材に固定する。このようにして、第２の実施の形態の無線ＩＣタグ１０が製造される。
【００３６】
このような本発明の第２の実施の形態の無線ＩＣタグ１０によっても、第１の実施の形態と同様の作用効果が奏される。
【００３７】
本実施の形態では、第１のベース部材１１の表面側に形成される第１の直線パターン１７と、第２のベース部材１２の裏面側に形成される第２の直線パターン１８と、第１のベース部材１１と第２のベース部材１２の間に形成される第３の直線パターン１９とによって形成される台形波状のアンテナパターン２０を容易に形成することができる。
【００３８】
以上、本発明の実施の形態を例示により説明したが、本発明の範囲はこれらに限定されるものではなく、請求項に記載された範囲内において目的に応じて変更・変形することが可能である。
【産業上の利用可能性】
【００３９】
以上のように、本発明にかかる無線ＩＣタグは、金属線アンテナを用いて波状のアンテナパターンを容易に形成することのできるという効果を有し、蔵書管理システムや検体管理システム等に用いられる無線ＩＣタグとして有用である。
【符号の説明】
【００４０】
１  無線ＩＣタグ（第１の実施の形態）
２  ベース部材
３  ＩＣチップ
４  金属線アンテナ
５  ストラップ
６  第１の直線パターン
７  第２の直線パターン
８  三角波状のアンテナパターン
１０  無線ＩＣタグ（第２の実施の形態）
１１  第１のベース部材
１２  第２のベース部材
１３  第１のベース部材の幅狭部
１４  第２のベース部材の幅狭部
１５  第１のベース部材の切り込み
１６  第２のベース部材切り込み
１７  第１の直線パターン
１８  第２の直線パターン
１９  第３の直線パターン
２０  台形波状のアンテナパターン
【図１】
2012141889.tif 000003
【図２】
2012141889.tif 000004
【図３】
2012141889.tif 000005
【図４】
2012141889.tif 000006